(57)【特許請求の範囲】
【請求項１】
戸枠に配設された受け具、受け具に係脱する縦方向の可動ストッパーを有するロック機構を内蔵すると共に、前記戸枠に配設された把持部材、一方、開閉体の角部に固定され、かつ開閉体の閉鎖位置にて前記把持部材の切欠状軸受け部分に係脱する軸部を有するヒンジ部材、開閉体に設けれ、かつ開閉体に設けた操作部材の操作力により作動する動力変換機構の連結部材に設けられ、かつ前記把持部材の切欠部に進退動して前記可動ストッパーを前記受け具に係合させる位置又は非係合位置に制御する制御部材から成り、開閉体の開閉方向を選択する際、一方側の操作部材は、一方側の制御部材のロッド部分が枢着側把持部材の切欠部に入り込んだ状態で可動ストッパーが受け具に係合するようにロック位置に位置付けられ、これに対して、他方側の操作部材は、他方側の制御部材のロッド部分が開放側把持部材の切欠部から抜けた状態で他方側の可動ストッパーが他方側の受け具に係合しないようにロック解除位置に位置付けられることを特徴とする建具に於ける左右両開き開閉体の開閉装置。
【請求項２】
請求項１に於いて、把持部材１３のロック機構２５は、可動ストッパー２６と、可動ストッパー用付勢バネ２７と、可動ストッパー用規制具２８とから成り、これらの構成部材は、全てブロック状の把持部材に内装されていることを特徴とする建具に於ける左右両開き開閉体の開閉装置。
【請求項３】
請求項１又は請求項２に於いて、把持部材１３は、戸枠に設けたレールに係止された状態で摺動可能であることを特徴とする建具に於ける左右両開き開閉体の開閉装置。
【請求項４】
請求項１乃至請求項３のいずれか於いて、把持部材には連結アームの外端部が枢着され、該連結アームの内端部は、開閉体の横框の中央部に固定された支持部材に枢着されていることを特徴とする建具に於ける左右両開き開閉体の開閉装置。
【発明の詳細な説明】
【技術分野】
【０００１】
本発明は、建具に於ける左右両開き開閉体の開閉装置に関し、特に、固定側が窓枠で、一方、開閉体が両方向（左右いずれかの方向）から開く窓に適合する建具に於ける左右両開き開閉体の開閉装置に関する。
【背景技術】
【０００２】
特許文献１及び特許文献２は、左右両開き開閉体の開閉装置に関する技術であるが、これらの開閉装置は、運搬可能な冷蔵庫にそれぞれ適用するものである。例えば特許文献２の開閉装置は、開閉体に水平方向に配設された長杆状の連結リンク、この連結リンクの左右端部にそれぞれ連結され、かつ係合手段を有する左右一対の連動片、それらの連動片に係合するように設けられ、かつ冷蔵庫本体側のヒンジピンと係脱する左右一対のラック板を備え、冷蔵庫本体の開口部を閉鎖する扉は、左右いずれか一方が枢着（拘束）状態となると、非拘束の他方側から開くことができる。
【０００３】
また、特許文献３には、扉用のロック装置が記載されている。この特許文献３の扉用のロック装置は、ハウジング内に設けられ、扉の外面に設けられたハンドルの回転操作によって所定量回転する駆動部材（例えばピニオン）と、この駆動部材に噛み合う連動部材（ラック）とを含む動力変換機構が開閉体の上下方向に沿って配設され、前記連動部材を構成する連結板の先端部には、扉枠の水平枠に配設した受け具に係脱するロック部材が一体的に取付けられている。
【特許文献１】特公平３−３５４７６号公報
【特許文献２】実用新案登録公報第２５０９５８５号公報
【特許文献３】特開２００２−３６４２２６号公報
【発明の開示】
【発明が解決しようとする課題】
【０００４】
本発明の所期の目的は、窓や障子と称される建具用開閉体を、左右一組の操作部材の互いの位置変位により、左右いずれからでも選択的に開閉することができるようにすることである。第２の目的は、把持部材に複数の機能を持たせることにより、部品点数を極力少なくすることである。第３の目的は、把持部材の枢着機能を確実に発揮させることである。第４の目的は、把持部材を始めとし、動力変換機構、制御部材、ロック機構等の各部材もスムースに作動することである。
【課題を解決するための手段】
【０００５】
本発明の建具に於ける左右両開き開閉体の開閉装置は、戸枠に配設された受け具、受け具に係脱する縦方向の可動ストッパーを有するロック機構を内蔵すると共に、前記戸枠に配設された把持部材、一方、開閉体の角部に固定され、かつ開閉体の閉鎖位置にて前記把持部材の切欠状軸受け部分に係脱する軸部を有するヒンジ部材、開閉体に設けれ、かつ開閉体に設けた操作部材の操作力により作動する動力変換機構の連結部材に設けられ、かつ前記把持部材の切欠部に進退動して前記可動ストッパーを前記受け具に係合させる位置又は非係合位置に制御する制御部材から成り、開閉体の開閉方向を選択する際、一方側の操作部材は、一方側の制御部材のロッド部分が枢着側把持部材の切欠部に入り込んだ状態で可動ストッパーが受け具に係合するようにロック位置に位置付けられ、これに対して、他方側の操作部材は、他方側の制御部材のロッド部分が開放側把持部材の切欠部から抜けた状態で他方側の可動ストッパーが他方側の受け具に係合しないようにロック解除位置に位置付けられることを特徴とする。
【０００６】
そして、構成要件を限定して付言すると、本発明の建具に於ける左右両開き開閉体の開閉装置は、戸枠に配設された左右の受け具１２、受け具に係脱する縦方向の可動ストッパー２６を有するロック機構２５を全て内蔵すると共に、前記戸枠１に設けたレール１１に摺動可能に配設された左右の把持部材１３、開閉体２の角部に固定され、かつ開閉体の閉鎖位置にて前記把持部材の切欠状軸受け部分２２に係脱する軸部３１を有する左右のヒンジ部材７、前記開閉体に設けれ、かつ左右一組の操作部材４の操作力によりそれぞれ回転する駆動部材３６を介して、回転運動を上下往復運動に変換する左右の動力変換機構６、動力変換機構の連結部材３９に一体的に設けられ、かつ前記把持部材１３の切欠部２４に進退動（上下動）して前記可動ストッパー２６を前記受け具１２に係合させる位置又は非係合位置に制御する左右の制御部材４０から成り、開閉体２の開閉方向を選択する際、一方側の操作部材４は、一方側の制御部材４０の係合ロッド部分４２が枢着側把持部材の切欠部２４に入り込んだ状態で前記可動ストッパー２６が受け具１２に係合するようにロック位置に位置付けられ、これに対して、他方側の操作部材は、他方側の制御部材４０の係合ロッド部分４２が開放側把持部材の切欠部２４から抜けた状態で可動ストッパー２６が受け具１２に係合しないようにロック解除位置に位置付けられることを特徴とする。
【発明の効果】
【０００７】
（１）独立項に記載の発明は、窓や障子と称される建具用開閉体を、左右一組の操作部材の互いの位置変位により、左右いずれからでも選択的に開閉することができる。また、把持部材に複数の機能を持たせることにより、部品点数を極力少なくすることができる。さらに、ヒンジ部材の他に制御部材を設けたので、把持部材の枢着機能を確実に発揮させることができる。
（２）請求項２に記載の発明は、把持部材にロック機構を構成する部材を全て内蔵させたので、そのような場合には、例えば管理、施工等が容易である。
（３）請求項３及び請求項４に記載の発明は、連結アームと把持部材とを共働させることにより、開閉体の開き角度を所定の範囲内に設定することができる。また、万一、把持部材の切欠状軸受け部分からヒンジ部材の軸部が外れても、開閉体が容易に落下しない。
【発明を実施するための最良の形態】
【０００８】
以下、図１乃至図１３に示す本発明を実施するための最良の形態により説明する。
【０００９】
（１）発明の実施の環境
図１は発明の実施の環境を示す概略説明図である。なお、図１の（ａ）、（ｂ）は、同一構成の部材が建具の左右、上下に適宜に配設されていることから、説明の便宜上、主な部材の位置関係だけを概略的に示したものである。
【００１０】
図１の（ａ）は、開閉体が閉鎖状態に於いて、左側の操作部材４の操作部４ａが垂直状態、一方、右側の操作部材４の操作部４ａは水平状態である。この場合、左側の操作部材４の操作力によって、開閉体２側の制御部材が戸枠１側の把持部材１３から離れると共に、該把持部材１３のロック機構のストッパーが戸枠１の受け具１２から外れるために、把持部材１３はレール１１に案内されながら水平移動可能となる。特に、本実施例の把持部材１３は、連結アームを介して開閉体に一体的に連結され、かつ、レール１１に係止された状態で水平方向に摺動可能である。
【００１１】
また、図１の（ｂ）は、図１の（ａ）に於いて、右側の把持部材１３が開閉体２側の制御部材４０及びロック機構２５の縦方向の可動ストッパー２６を介して戸枠側の受け具１２に拘束され、かつ、開閉体２に設けたヒンジ部材７を介して枢軸機能を発揮することから、開閉体２は右側の把持部材１３を基準（軸支側）にして左側から開いた旨を示す。
【００１２】
付言すると、図１の（ｂ）では、右側の把持部材１３はロック機構２５の可動ストッパー２６が戸枠１の受け具１２に係合しているために、受け具１２に拘束されている状態である。また、開閉体２側の制御部材４０が把持部材１３の切欠部２４に係合しているために、開閉体側のヒンジ部材７の軸部（ヒンジピン）３１が把持部材１３の切欠状軸受け部分２２に常時係合している。
【００１３】
さて、図１の（ａ）、（ｂ）に於いて、まず、１は建具としての戸枠で、この戸枠１は上下の横枠１ａと、左右の縦枠１ｂとから成る。サッシ型の上下の横枠１ａ及び左右の枠１ｂは、周知のように開閉体（例えば窓）２用の開口３を形成している。
【００１４】
したがって、開閉体２は、戸枠１の形態に対応して上下の框２ａと左右の框２ｂとを有している。本実施例では、開閉体２は、左右両開き方式なので、左右の框２ｂが戸枠１の上下左右の角部にそれぞれ設けたヒンジ部材７を介して枢着される戸先、又は戸枠１側の部材から開放される戸先となる。
【００１５】
次に、４は開閉体２の内壁面側の左右側端部（左右の框）２ｂの中央部にそれぞれ設けられた左右一対の操作部材（例えばＬ型ハンドル）である。操作部材４の操作部４ａに直交方向に連設する挿入軸部４ｂは、取付け座５の貫通孔に差し込まれ、後述する動力変換機構６を構成する駆動部材３６に固定的に連結されている。
【００１６】
また、開閉体２の左右側端部２ｂには、操作部材４の操作力により作動する動力変換機構（仮想線）６の主な構成部材が、その駆動部材３６を中心にして上下方向に、かつ同期するように配設されている。
【００１７】
さらに、開閉体２の左右端部２ｂの上下の角部には、合計４枚のヒンジ部材７が固定的に取付けられている。付言すると、ヒンジ部材７は、例えば戸先の左右の上端面と左右の下端面に固着手段を介して左右対称にそれぞれ組を成して固定されている。
【００１８】
次に、戸枠１の上下の横枠１ａには、水平方向レール１１がそれぞれ配設されている。また、戸枠１の開口３の四隅に相当する上下のレール１１の左右端部には、左右一対の受け具１２が固着手段を介してそれぞれ対称的に固定されている。そして、開閉体２の閉鎖位置において、受け具１２に対して上下方向に重なり合う把持部材１３が、レール１１を介して左右に対称的に配設されている。
【００１９】
左右の把持部材１３は、本実施例では上下のレール１１にそれぞれ係止された状態で水平移動可能であるが、左右の操作部材４の回転位置如何によって、一つは所定位置で開閉体側のヒンジ部材７、制御部材４０等に拘束された状態となって枢着機能を発揮し、他の一つは前記ヒンジ部材７、制御部材４０等と非拘束状態となる。把持部材１３が非拘束状態となった場合には、本実施例では、連結アーム５０を介して開閉体の開く角度に対応して移動する。
【００２０】
以下、本発明の特定要件について順次説明するが、細部的事項の説明や符号は割愛する。
【００２１】
（２）レール１１と受け具１２
まず、レール１１は、戸枠１の上下の横枠１ａ、１ａに開口３を介して対向状態に配設されている。上下のレール１１は同一構成なので、ここでは図２、図７等を参照にして、下方のレール１１説明する。
【００２２】
レール１１は、１本又は複数本でも良い。レール１１は、後述する把持部材１３を横枠１ａに沿って案内するガイド部材であることから、複数本の場合には直線状に接続することが必要である。
【００２３】
本実施例では、図２で示すように１本のレール１１が開口３の一端部から他端部に至るまで一連に延在している。また、図７で示すように、レール１１は、長板状のベース部１１ａと、このベース部の長手方向の両端部寄りの部位から断面アングル状に延びた対向係合腕部１１ｂとから成り、前記ベース部１１ａの左右両端部には嵌合孔１５がそれぞれ形成されている。
【００２４】
次に、受け具１２は、上下の横枠１ａ、１ａの左右端部にそれぞれ配設されている。付言すると、例えば下の横枠１ａに左右対称に固定された一組の受け具１２は、図２、図７等で示すように板状に構成されている。図７で示した右下の一つの受け具１２は、他の受け具１２と同一構成である。
【００２５】
図７を参照にすると、１２ａは下方レール１１の右端部上面に複数本の固着具１６を介して固定される板状接合部、１２ｂは板状接合部の一側面の端部に突出形成され、かつレール１１の嵌合孔１５に嵌合する有底筒状嵌合部、１７は板状接合部１２ａに形成された固着具１６用の複数個の取付け孔である。
【００２６】
したがって、上方レール１１にそれぞれ対称的に配設される左右一組の受け具１２は、上方レール１１の左右端部下面に複数本の固着具を介してそれぞれ固定される。
【００２７】
（３）把持部材１３
ブロック状の把持部材１３は、上下のレール１１に摺動可能にそれぞれ合計４は配設されている。したがって、係合スライダーである。図２、図３等で示すように、把持部材１３は、受け具１２に係脱する可動ストッパー２６を有するロック機構２５を全て内蔵する。
【００２８】
受け具１２の説明と同様に、図３及び図７を参照にして、右下の把持部材１３を取り上げて、その具体的構成を説明する。他の３個の把持部材１３も同一の構成である。
【００２９】
さて、１３ａは肩状の被係合部で、この被係合部１３ａには、レール１１の対向係合腕部１１ｂが係合する。被係合部１３ａの端面は、下向き凹所状に形成されているから、図２で示すように、開閉体２が閉鎖位置のとき、被係合部１３ａの下向き凹所２１内に受け具１２の板状接合部１２ａが位置し、受け具１２が把持部材１３の邪魔にならない。付言すると、受け具１２がレール１１のベース部１１ａの上面に固定されていても、把持部材１３に対して障害物とはならない。
【００３０】
次に、１３ｂは被係合部１３ａの上面に連設する所定形状の肉厚部で、この肉厚部１３ｂの戸先側の一つの角部には、複数個（２個）の軸受け部分２２、５４が指先状に連設している。しかして、これらの軸受け部分２２、５４は、外向き（戸先が開く方向の意味）鉤状に形成され、連結アーム枢着用の所要間隙２３を有して上下方向に存在している。
【００３１】
さらに、肉厚部１３ｂの前記一つの角部には、軸受け部分２２の切欠中心を同心円とする弧状ガイド面２４ａを有する切欠部（収納開口）２４が形成され、この切欠部２４には、ロック機構２５を構成する部材が全て組み込まれている。
【００３２】
しかして、ロック機構２５は、図３で示すように、縦方向の可動ストッパー２６と、可動ストッパー用付勢バネ２７と、可動ストッパー用規制具２８とを含み、前記可動ストッパー２６は、開閉体側の制御部材の先端面に押圧される板状の受け部分２６ａと、この受け部分の一側下面から延在し、かつ受け具１２の筒状嵌合部１２ｂと嵌脱（係脱）するロック棒２６ｂと、このロック棒から若干離間して前記一側下面から同方向に延在する付勢バネ装着用短杆２６ｃとから成り、前記短杆２６ｃには、可動ストッパー用規制具（オネジ、規制部）２８が螺着する。
【００３３】
したがって、細部的事項の符号は割愛するが、切欠部（収納開口）２４の内部は、可動ストッパー２６を全て内蔵できる大きさに形成されていると共に、収納開口２４は可動ストッパー２６のロック棒２６ｂを案内する貫通状の第１ガイド孔、可動ストッパー２６の短杆２６ｃを案内する貫通状の第２ガイド孔、付勢バネ２７の内端部を支持するバネ端支持面及び規制具（オネジ）２８の頭部（ワッシャを有する場合はワッシャ）２８ａを受ける規制面をそれぞれ有している。これにより、ロック機構２５の構成する部品点数が少なくなると共に、切欠部（収納開口）２４の内部にロック機構２５の構成する部品を全て内蔵していることから、運搬、管理、施工等が容易となる。
【００３４】
（４）ヒンジ部材７
ヒンジ部材７は、開閉体の上框２ａの左右角部及び下框２ａの左右角部にそれぞれ複数個の固着具３０を介して対称的に固定されている。したがって、図２で示すように、ヒンジ部材７は開閉体２の閉鎖位置にて対応する左右の把持部材１３にそれぞれ係脱可能である。開閉体２の角部に固定された合計４枚のヒンジ部材７は同一構成なので、ここでは図８等を参照にして、開閉体２の右下のヒンジ部材７を取り上げて説明する。
【００３５】
７ａは固着具用の取付け小孔を有する板状取付けベース部で、この取付けベース部７ａの戸先側の一つの角部には、下方向の軸部（ヒンジピン）３１を有する指先状部分が連設している。この指先状部分は、前述した把持部材１３の軸受け部分２２に重なるように対向する。したがって、前記軸部３１は、把持部材１３の切欠状軸受け部分２２に係脱可能である。
【００３６】
また、取付けベース部７ａの戸先側の一端部には、制御部材４０の係合ロッド４２を案内する上方向の短筒状ガイド３２が設けられている。さらに、取付けベース部７ａの手前側は略９０度に折り曲げ形成された端板部７ｂとなっており、ヒンジ部材７は開閉体１の角部の端面にフイットする。
【００３７】
（５）動力変換機構６
図１で示したように、動力変換機構６は、操作部材４の回転運動を上下往復運動に変換する構造であることから、開閉体２に設けた左右の操作部材４に対応して左右に一組配設されている。また、動力変換機構６は、操作部材４の挿入軸部４ｂに相対回転不能に連結される駆動部材３６を基準として、上側に設けられた部材と下側に設けられた部材は同一なので、ここでは、図１２、図１３及び図８を参照にして、開閉体２の右框２ｂの下側に配設された構成部材を説明する。
【００３８】
しかして、３５は右框２ｂに固定的に内装された断面ハット型形状（上側省略）のハウジングで、このハウジング３５は、駆動部材（例えばピニオン）３６に噛み合う縦方向のラック３８を有する昇降部材３７を案内する。また、３９は上端部が昇降部材３７の下端部に連結された縦長板状の連結部材（例えば連結リンク）で、この連結部材３９の下端部には、制御部材４０の板状基端部（図８等では上端部）４１が連結されている。制御部材４０の先端部（図８等では下端部）の係合ロッド４２は、開閉体２の閉鎖位置にて、ヒンジ部材７の筒状ガイド３２を貫通した状態で把持部材１３の切欠部（収納開口）２４に対して進退動可能である。
【００３９】
（６）主な作用
操作部材４を所定方向に所要量回転すると、制御部材４０は、駆動部材３６、昇降部材３７及び連結部材３９を介して昇降動することから、制御部材４０の係合ロッド４２は、把持部材１３の切欠部２４に進退動して、前述した可動ストッパー２６を戸枠１の受け具１２に係合する位置又は係合しない位置に制御する。
【００４０】
ここで、図１３及び図２を参照にして、把持部材１３の進退動について説明する。今仮に、操作部材を反時計方向に回転すると、図１３の（ａ）で示すように、ピニオン３６も同方向に回転する。そうすると、昇降部材３７乃至制御部材４０は矢印Ａ方向へと下降する。
【００４１】
その結果、図２の右側に示すように、制御部材４０の係合ロッド４２は把持部材１３の切欠部２４に入り込んだ状態で、かつ、可動ストッパー２６の受け部分２６ａを押圧する。その結果、可動ストッパー２６は付勢バネ２７のバネ力に抗して下降し、受け具１２の筒状嵌合部１２ｂに係合する。
【００４２】
したがって、開閉体を選択的に開閉する際、一方側の操作部材４は、一方側の制御部材４０のロッド部分４２が枢着側把持部材１３の切欠部２４に入り込んだ状態で一方側の可動ストッパー２６が受け具１２に係合するようにロック位置に位置付けられたことに成る。この時、開閉体２のヒンジ部材７の軸部３１は把持部材１３の軸受け部分２２に入り込んでいる。
【００４３】
これに対して、操作部材を時計方向に回転すると、図１３の（ｂ）で示すように、ピニオン３６も時計方向に回転する。そうすると、昇降部材３７乃至制御部材４０は矢印Ｂ方向へと上降する。
【００４４】
その結果、図２の左側に示すように、制御部材４０の係合ロッド４２は把持部材１３の切欠部２４から抜けると共に、かつ、可動ストッパー２６の受け部分２６ａからも完全に離れる。その結果、可動ストッパー２６は付勢バネ２７のバネ力によって、所定位置まで上昇、受け具１２の筒状嵌合部１２ｂから抜ける。
【００４５】
したがって、開閉体を選択的に開閉する際、他方側の操作部材４は、他方側の制御部材４０のロッド部分４２が開放側把持部材１３の切欠部２４から抜けた状態で他方側の可動ストッパー２６が受け具１２に係合しないようにロック解除位置に位置付けられたことに成る。この状態では、開放側把持部材１３は、制御部材４０のロッド部分４２が所定位置へと離れたことから、受け具１２から拘束が解かれた非拘束状態となり、開閉体２のヒンジ部材７の軸部３１は把持部材１３の軸受け部分２２から抜け出すことが可能と成る。
【００４６】
図１１は、枢着側把持部材１３の切欠部２４を移行する制御部材４０の係合ロッド４２の軌道を概略的に示す。切欠部２４内に前記係合ロッド４２が入り込んでいる場合に於いて、開閉体２が開くと、係合ロッド４２は、枢着側把持部材１３の軸受け部分２２に常時係合しているヒンジ部材７の軸部３１を支点にして、かつ、切欠部２４の弧状ガイド面２４ａに案内されながら仮想線の位置から実線の位置へと移行する。したがって、把持部材の枢着機能を確実に発揮させることができる。
【実施例】
【００４７】
発明の実施の形態で示した実施例（以下、「本実施例」という）に於いて、動力変換機構６を構成する駆動部材３６並びに昇降部材３７は、任意設計変更可能である。
【００４８】
また、本実施例は、連結アーム５０と把持部材（スライダー）１３とを共働させることにより、開閉体の開き角度を所定の範囲内に設定すること、万一、把持部材の切欠状軸受け部分２２からヒンジ部材７の軸部３１が外れても、開閉体２が容易に落下しないこと等の目的から、左右一対の連結アーム５０を備えている。この左右一対の連結アーム５０は、本発明の本質的事項ではなく、特許文献との関係に於いて、限定要件と成り得る事項である。
【００４９】
しかして、図２、図９、図１０等で示すように、本実施例では、開閉体２の上下の框２ａの中央部に、上下一組の支持部材５１が複数個の固着具５２により固定されている。支持部材５１は、図１０で示すように、断面ハット型形状に形成され、その中央部に左右一対の連結アーム５０の内端部５０ａを重ね合わせた状態でそれぞれ枢着する一芯軸５３が設けられている。
【００５０】
一方、左右一対の連結アーム５０の外端部５０ｂは、把持部材１３の指先状の軸受け部分２２の一側面側に設定した所要間隔２３に入り込み、かつ軸受け部分２２に対して並存するアーム用軸受け部分５４に取付けた固定軸５５に軸支されている。
【産業上の利用可能性】
【００５１】
本発明は、主に建具や錠前の業界で利用される。
【図面の簡単な説明】
【００５２】
図１乃至図１４は本発明の最良の実施例を示す各説明図。
【図１】発明の実施の環境を示す概略説明図で、図１（ａ）は閉鎖状態、図１（ｂ）は左側を開いた状態をそれぞれ示す。
【図２】開閉体を閉じた状態での主要部（下方の主たる部材）の正面側からの概略説明図。左の制御部材４０は矢印Ｂ方向に上昇し、左側の把持部材１３は非拘束状態、一方、右の制御部材４０は矢印Ａ方向に下降し、右側の把持部材１３は拘束状態であることを示す。
【図３】図２に於いて、右側の把持部材の内部構造を示す概略断面説明図。
【図４】図２に於いて、主要部（下方の主たる部材）の平面側からの概略説明図。
【図５】図４に於いて、主要部（下方の主たる部材）の拡大説明図。ヒンジ部材の一部を切欠して示している。
【図６】図２に於いて、右側面からの概略断面説明図。
【図７】レール、把持部材、受け具及び可動ストッパー等の分解説明図。
【図８】動力変換機構、制御部材、ヒンジ部材及び支持部材等の分解説明図。
【図９】図４に於いて、開閉体を左側から開いた状態の概略説明図。
【図１０】図９に於いて、右側面からの要部の概略断面説明図。開閉体が開いた状態である。
【図１１】開閉体を開いたとき、制御部材の係合ロッド４２の軌道を示す概略説明図。
【図１２】動力変換機構（右側、かつ下側）の概略説明図。
【図１３】操作部材を回転操作した場合における動力変換機構の作動状態を示す概略説明図で、図１３（ａ）はロック方向へ移動した状態、図１３（ｂ）はロック解除の方向へ移動した状態をそれぞれ示す。
【符号の説明】
【００５３】
１…戸枠、１ａ…上下の横枠、１ｂ…左右の縦枠、２…開閉体、２ｂ…左右側端部、３…開口、４…操作部材、４ａ…操作部、４ｂ…挿入軸部、５…取付け座、６…動力変換機構、７…ヒンジ部材、７ａ…取付けベース部、１１…レール、１２…受け具、１２ａ…板状接合部、１２ｂ…筒状嵌合部、１３…把持部材、１３ｂ…肉厚部、１５…嵌合孔、２２…軸受け部分、２３…所要間隔、２４…切欠部、２４ａ…弧状ガイド面、２５…ロック機構、２６…可動ストッパー、２６ａ…受け部分、２６ｂ…ロック棒、２６ｃ…付勢バネ装着用短杆、２７…付勢バネ、２８…規制具(規制部)、３０…固着具、３１…軸部（ヒンジピン）、３５…ハウジング、３６…駆動部材、３７…昇降部材、３８…ラック、３９…連結部材、４０…制御部材、４１…基端部、４２…係合ロッド、５０…連結アーム、５１…支持部材、５２…一芯軸、５５…固定軸。
【図１】
0004919888.tif 000002
【図２】
0004919888.tif 000003
【図３】
0004919888.tif 000004
【図４】
0004919888.tif 000005
【図５】
0004919888.tif 000006
【図６】
0004919888.tif 000007
【図７】
0004919888.tif 000008
【図８】
0004919888.tif 000009
【図９】
0004919888.tif 000010
【図１０】
0004919888.tif 000011
【図１１】
0004919888.tif 000012
【図１２】
0004919888.tif 000013
【図１３】
0004919888.tif 000014